(57)【要約】【課題】所望の画面部品を決定し易い入力装置を提供すること。【解決手段】アイコン１２が表示される表示画面１１ａと、表示画面１１ａに近接して配置され、アイコン１２を決定するための指の存在を検出する検出面部１４と、表示画面１１ａ上の位置と、表示画面１１ａの上方の、表示画面１１ａに対向し、表示画面１１ａよりも大きい面状の検出領域１８上の位置が対応付けられた対応付け情報を格納する格納部３２とを備え、検出面部１４は、視認側に凸状に形成され、複数の電極によって区切られた複数の検出区画１５を有し、検出面部１４から得られたデータに基づいて検出領域における指の位置を検出する位置検出部３１と、その検出された位置と対応付け情報から、表示画面１１ａにおける位置を特定する位置特定部３３とを更に備えた、入力装置である。【選択図】図１
2011248847.tif 000002
【特許請求の範囲】
【請求項１】
画面部品が表示される表示画面と、
前記表示画面に近接して配置され、前記画面部品を決定するための指示物の存在を検出する検出面部と、
前記表示画面上の位置と、前記表示画面の上方の、前記表示画面に対向し、前記表示画面よりも大きい面状の所定エリア上の位置が対応付けられた対応付け情報を格納する格納部とを備え、
前記検出面部は、視認側に凸状に形成され、複数の電極によって区切られた複数の検出区画を有し、
前記検出面部から得られたデータに基づいて前記所定エリアにおける前記指示物の位置を検出する位置検出部と、
その検出された位置と前記対応付け情報から、前記表示画面における位置を特定する位置特定部とを更に備えた、入力装置。
【請求項２】
前記所定エリアは、厚みを有している、請求項１記載の入力装置。
【請求項３】
前記検出区画の周辺の電極は、それぞれ独立しており、それぞれの前記電極に関する静電容量値を検出することによって前記データが得られる、請求項１記載の入力装置。
【請求項４】
前記位置検出部によって検出される位置を、少なくとも前記検出面部の中央部では、前記表示画面から遠ざける方向に補正を行う補正部を更に備えた、請求項１記載の入力装置。
【請求項５】
前記検出面部は、前記表示画面の視認側に配置されており、
前記所定の規則とは、前記複数の検出区画の、前記表示画面から突出している量が大きい位置ほど、その位置に対応する前記所定エリアにおける位置を、前記表示画面よりも遠ざける方向に補正することである、請求項２記載の入力装置。
【請求項６】
前記所定エリアは、前記検出区画の上方空間に含まれる第１領域と、前記検出区画の上方空間に含まれない第２領域とを有し、
前記第１領域では、その第１領域の下方に配置されている前記検出区画の電極によって前記指示物の位置が検出され、
前記第２領域では、その第２領域に隣接する前記第１領域の下方に配置されている前記検出区画の電極によって前記指示物の位置が検出される、請求項１記載の入力装置。
【請求項７】
画面部品が表示される表示画面と、
前記表示画面に近接して配置され、前記画面部品を決定するための指示物の存在を検出する検出面部と、
前記表示画面上の位置と、前記表示画面の上方の、前記表示画面に対向し、前記表示画面よりも大きい面状の所定エリア上の位置が対応付けられた対応付け情報を格納する格納部とを備え、
前記検出面部は、視認側に凸状に形成され、複数の電極によって区切られた複数の検出区画を有する、入力装置の入力方法であって、
前記検出面部から得られたデータに基づいて前記所定エリアにおける前記指示物の位置を検出する位置検出ステップと、
その検出された位置と前記対応付け情報から、前記表示画面における位置を特定する位置特定ステップを備えた、入力方法。
【請求項８】
請求項７記載の入力方法の、前記検出面部から得られたデータに基づいて前記所定エリアにおける前記指示物の位置を検出する位置検出ステップと、その検出された位置と前記対応付け情報から、前記表示画面における位置を特定する位置特定ステップとをコンピュータに実行させるプログラム。
【請求項９】
請求項８記載のプログラムを記録した記録媒体であって、コンピュータにより処理可能な記録媒体。
【発明の詳細な説明】
【技術分野】
【０００１】
本発明は、入力装置及び入力方法等に関する。
【背景技術】
【０００２】
近年、ＰＤＡ、スマートフォン、タブレットＰＣ、カーナビゲーションシステム等の情報端末が普及している。これらの情報端末は、一般的に小型化のためディスプレイに表示されるアイコン等のＧＵＩ（Graphical User Interface）の画面部品をタッチペンや指でタッチすることにより情報の入力を行うタッチ式入力部が採用されている。タッチ式入力部では、表示画面に複数のアイコン等を含む画面部品が表示され、スタイラスや指でタッチすることにより、アイコンの決定がされ、アイコンに割り当てられているアプリケーションプログラムを起動することが出来る。
【０００３】
一方、タッチ式入力部に指を近づけると、ポインタを表示部に表示する技術が提案されている（例えば、特許文献１参照。）。この特許文献１では、ポインタが表示された後、指などをタッチ式入力部に接触させると、ポインタに最も近いオブジェクトに対応づけられた処理が実行される。
【先行技術文献】
【特許文献】
【０００４】
【特許文献１】特開２００９−２６１５５号公報
【発明の概要】
【発明が解決しようとする課題】
【０００５】
しかしながら、タッチ式入力部を採用していても、表示画面が小さいため、表示されているアイコンの間隔が狭い場合等には、少しの指の動きでポインタが通り過ぎてしまう等の問題があり、所望の画面部品を決定することが困難な場合があった。
【０００６】
本発明は、上記従来の入力装置の課題を考慮し、所望の画面部品を決定し易い入力装置及び入力方法を提供することを目的とする。
【課題を解決するための手段】
【０００７】
上記目的を達成するために、第１の本発明は、
画面部品が表示される表示画面と、
前記表示画面に近接して配置され、前記画面部品を決定するための指示物の存在を検出する検出面部と、
前記表示画面上の位置と、前記表示画面の上方の、前記表示画面に対向し、前記表示画面よりも大きい面状の所定エリア上の位置が対応付けられた対応付け情報を格納する格納部とを備え、
前記検出面部は、視認側に凸状に形成され、複数の電極によって区切られた複数の検出区画を有し、
前記検出面部から得られたデータに基づいて前記所定エリアにおける前記指示物の位置を検出する位置検出部と、
その検出された位置と前記対応付け情報から、前記表示画面における位置を特定する位置特定部とを更に備えた、入力装置である。
【０００８】
また、第２の本発明は、
前記所定エリアは、厚みを有している、第１の本発明の入力装置である。
【０００９】
また、第３の本発明は、
前記検出区画の周辺の電極は、それぞれ独立しており、それぞれの前記電極に関する静電容量値を検出することによって前記データが得られる、第１の本発明の入力装置である。
【００１０】
また、第４の本発明は、
前記位置検出部によって検出される位置を、少なくとも前記検出面部の中央部では、前記表示画面から遠ざける方向に補正を行う補正部を更に備えた、第１の本発明の入力装置である。
【００１１】
また、第５の本発明は、
前記検出面部は、前記表示画面の視認側に配置されており、
前記所定の規則とは、前記複数の検出区画の、前記表示画面から突出している量が大きい位置ほど、その位置に対応する前記所定エリアにおける位置を、前記表示画面よりも遠ざける方向に補正することである、第２の本発明の入力装置である。
【００１２】
また、第６の本発明は、
前記所定エリアは、前記検出区画の上方空間に含まれる第１領域と、前記検出区画の上方空間に含まれない第２領域とを有し、
前記第１領域では、その第１領域の下方に配置されている前記検出区画の電極によって前記指示物の位置が検出され、
前記第２領域では、その第２領域に隣接する前記第１領域の下方に配置されている前記検出区画の電極によって前記指示物の位置が検出される、第１の本発明の入力装置である。
【００１３】
また、第７の本発明は、
画面部品が表示される表示画面と、
前記表示画面に近接して配置され、前記画面部品を決定するための指示物の存在を検出する検出面部と、
前記表示画面上の位置と、前記表示画面の上方の、前記表示画面に対向し、前記表示画面よりも大きい面状の所定エリア上の位置が対応付けられた対応付け情報を格納する格納部とを備え、
前記検出面部は、視認側に凸状に形成され、複数の電極によって区切られた複数の検出区画を有する、入力装置の入力方法であって、
前記検出面部から得られたデータに基づいて前記所定エリアにおける前記指示物の位置を検出する位置検出ステップと、
その検出された位置と前記対応付け情報から、前記表示画面における位置を特定する位置特定ステップを備えた、入力方法である。
【００１４】
また、第８の本発明は、
第７の本発明の入力方法の、前記検出面部から得られたデータに基づいて前記所定エリアにおける前記指示物の位置を検出する位置検出ステップと、その検出された位置と前記対応付け情報から、前記表示画面における位置を特定する位置特定ステップとをコンピュータに実行させるプログラムである。
【００１５】
また、第９の本発明は、
第８の本発明のプログラムを記録した記録媒体であって、コンピュータにより処理可能な記録媒体である。
【発明の効果】
【００１６】
本発明は、所望の画面部品を決定し易い入力装置及び入力方法を提供することが出来る。
【図面の簡単な説明】
【００１７】
【図１】（ａ）本発明にかかる実施の形態１の情報端末の正面図、（ｂ）本発明にかかる実施の形態１の情報端末の上面図
【図２】本発明にかかる実施の形態１の情報端末の構成図
【図３】本発明にかかる実施の形態１の情報端末の検出面部及び表示部の斜視図
【図４（ａ）】本発明にかかる実施の形態１の情報端末の検出区画の構成図
【図４（ｂ）】検出区画の電極によって検出区画上方空間内において指が検出された場合の静電容量値のグラフを示す図
【図４（ｃ）】指の位置の検出を説明するための図
【図４（ｄ）】表示画面からの指の位置の距離が変化したときの静電容量値のグラフを示す図
【図４（ｅ）】静電容量値の合計のグラフを示す図
【図５（ａ）】本発明にかかる実施の形態１の情報端末の検出区画の構成図
【図５（ｂ）】検出区画の電極によって検出区画上方空間外において指が検出された場合の静電容量値のグラフを示す図
【図５（ｃ）】指の位置の検出を説明するための図
【図５（ｄ）】表示画面からの指の位置の距離が変化したときの静電容量値のグラフを示す図
【図６】本発明にかかる実施の形態１の検出面部の部分構成図
【図７】本発明にかかる実施の形態１の検出面部の検出領域を説明するための情報端末の断面構成図
【図８】本発明にかかる実施の形態１の検出面部の検出領域を説明するための検出面部の部分斜視構成図
【図９】本発明にかかる実施の形態１の情報端末の制御を説明するためのフロー図
【図１０】本発明にかかる実施の形態１の情報端末における補正を説明するための情報端末の断面構成図
【図１１】本発明にかかる実施の形態１の情報端末における補正を説明するための情報端末の部分断面構成図
【図１２】本発明にかかる実施の形態１の情報端末における補正を説明するための情報端末の断面構成図
【図１３（ａ）】本発明にかかる実施の形態１の情報端末における指の動きと表示画面上のポインタの関係を説明するための情報端末の断面構成図
【図１３（ｂ）】本発明にかかる実施の形態１の情報端末における検出領域と表示画面の対応を説明するための表示画面の斜視図
【図１４（ａ）】本発明にかかる実施の形態２の情報端末における補正を説明するための情報端末の断面模式図
【図１４（ｂ）】本発明にかかる実施の形態２の情報端末における補正を説明するための情報端末の模式図
【図１４（ｃ）】本発明にかかる実施の形態２の情報端末における補正を説明するための情報端末の模式図
【図１５】本発明にかかる実施の形態２の情報端末における補正を説明するための情報端末の断面模式図
【図１６】本発明にかかる実施の形態２の情報端末における補正を説明するための情報端末の断面模式図
【図１７】本発明にかかる実施の形態３の情報端末の検出領域を説明するための情報端末の模式的な斜視図
【図１８】本発明にかかる実施の形態２の情報端末における補正を説明するための情報端末の模式的な斜視図
【図１９】本発明にかかる実施の形態２の情報端末における補正を説明するための情報端末の模式的な斜視図
【図２０】本発明にかかる実施の形態２の情報端末における補正を説明するための情報端末の模式的な斜視図
【図２１】本発明にかかる実施の形態２の情報端末における補正を説明するための情報端末の模式的な斜視図
【発明を実施するための形態】
【００１８】
以下に、本発明の入力装置の一例としての情報端末について、図面を参照しながら説明する。
【００１９】
（実施の形態１）
以下に、本発明にかかる実施の形態１における情報端末について説明する。
【００２０】
図１（ａ）は、本発明の実施の形態１の情報端末１０の正面図である。図１（ａ）に示すように、本実施の形態１の情報端末１０には、表示部１１が設けられており、表示部１１の表示画面１１ａには、本発明の画面部品の一例である複数のアイコン１２が表示されている。また、アイコン１２を決定するためのポインタ１３が表示されている。尚、表示部１１としては、本実施の形態では、ＬＣＤパネルが用いられているが、有機ＥＬディスプレイや液晶ディスプレイが用いられても良い。本実施の形態では、アイコン１２、ポインタ１３を例に挙げているが、画面を表示するものとしてコンテンツの一部を表すサムネイル、縮小画像、文字、あるいは文字列などのようなものを総称して画面部品と呼び、画面部品が表示部１１に現れるように構成することが出来る。尚、図１（ａ）において、図中右方向をＸ軸正方向とし、上方をＹ軸正方向とし、手前方向をＺ軸正方向とし、以下の図でも同様とする。
【００２１】
図１（ｂ）は、本実施の形態１の情報端末１０を上方から視た断面構成図である。図１（ｂ）に示すように、表示部１１の視認側（Ｚ軸正方向側）には凸状に形成された検出面部１４が設けられている。この検出面部１４は、静電容量方式を用いた非接触デバイスである。また、検出面部１４は、複数の検出区画１５が繋がって形成されている。図１（ｂ）では、５つの検出区画１５が繋がって凸形状に形成されている。指が表示画面１１ａに近づくと、非接触デバイスである検出面部１４によって検出され、その指の位置に応じて表示画面１１ａ上にポインタ１３が表示される。尚、図１（ｂ）では、検出面部１４による扇形形状の検出領域１８が点線で示されている。そして、指１７が検出面部１４から第１所定距離（図中面２４）以内に近づくと、表示部１１は、特定された位置にポインタ１３を表示する。更に、指が第１所定距離よりも検出面部１４から近い第２所定距離（図中面２５）以内に近づくと、ポインタ１３が示しているアイコン１２が決定され、決定されたアイコンに割り当てられているアプリケーションが実行される。
【００２２】
次に、本実施の形態の情報端末の全体構成について説明する。
【００２３】
図２は、本実施の形態の情報端末１０の構成を示す図である。図２に示すように、本実施の形態１の情報端末１０には、上述した表示部１１及び検出面部１４が設けられている。更に、検出面部１４からの静電容量のデータを受けて、指１７の位置を検出する位置検出部３１が設けられている。この位置検出部３１によって得られた位置データを補正する補正部３４が設けられている。更に、表示部１１の表示画面１１ａ上の位置と、表示画面１１ａの上方の検出領域１８における指の位置を対応づけた対応付け情報が格納されている格納部３２が設けられている。補正された位置データと対応付け情報とから、表示画面１１ａにおける位置を特定する位置特定部３３が設けられている。特定された位置に応じて表示部１１の表示を制御する表示制御部３５が設けられている。
【００２４】
次に、検出面部１４について説明する。
【００２５】
図３は、本実施の形態１の情報端末１０の斜視構成図である。図３に示すように、検出面部１４は、Ｚ軸方向に凸状となるように設けられた５つの検出区画１５がＸ軸方向に連接して繋がっており、この連接した５つの検出区画１５がＹ軸方向に複数個（図中では６個）設けられている。尚、検出区画１５の数は、本実施の形態の数に限られるものではない。
【００２６】
詳しくは後述するが、本実施の形態では、検出面部１４がＺ軸方向（視認側）に凸状となっていることによって、非接触デバイスである検出面部１４で検出される領域が拡大されることになる。
【００２７】
次に、本実施の形態１の検出区画１５について説明する。
【００２８】
図４（ａ）は、１つの検出区画１５を正面から視た構成図である。図４（ａ）に示すように、検出区画１５には、その上下左右に棒状の４つの電極１６ａ、１６ｂ、１６ｃ、１６ｄが独立して設けられている。例えば、図４（ａ）に示す位置１９に指が存在する場合、図４（ｂ）に示すようなデータが、各電極１６ａ、１６ｂ、１６ｃ、１６ｄから得られる。この各電極１６ａ、１６ｂ、１６ｃ、１６ｄから得られる静電容量から指１７の検出区画１５での位置が検出される。
【００２９】
つまり、図４（ｃ）に示すように、電極１６ａと電極１６ｂの静電容量の比から電極１６ａと電極１６ｂの間における位置が求められ、電極１６ｃと電極１６ｄの静電容量の比から電極１６ｃと電極１６ｄの間における位置が求められる。また、検出区画１５に対して垂直な方向の距離（検出区画１５と位置１９との距離）は、電極１６ａ、１６ｂ、１６ｃ、１６ｄの全体の静電容量の大きさによって検出することが出来る。図４（ｄ）には、図４（ａ）と比較して、全体の静電容量の大きさが小さくなった状態のグラフが示されている。本実施の形態では、図４（ｄ）の状態の方が、検出区画１５からより遠い位置に指が存在していることが分かる。尚、図４（ｅ）に示すように、各電極１６ａ、１６ｂ、１６ｃ、１６ｄの静電容量値の合計が所定閾値ｈ以上の場合に、検出したデータを有効とする。すなわち、指が、検出区画１５から所定以内の距離に近づいた場合に検出されることになる。この所定閾値ｈによって区切られる距離が、図１（ｂ）の面２４に相当する。
【００３０】
図４（ａ）では、正面から見た場合に検出区画１５の内側に指が存在する場合の位置の検出について説明したが、次に、検出区画１５の外側に指１７が存在する場合の指の位置の検出について説明する。
【００３１】
図５（ａ）は、図４（ａ）と同様に正面から視た検出区画１５の構成図である。この図５（ａ）に示すように正面から視て、検出区画１５の外側の位置２０に指が存在している場合、図５（ｂ）に示すようなデータが、各電極１６ａ、１６ｂ、１６ｃ、１６ｄから得られる。そして、図５（ｃ）に示すように、電極１６ｄによる静電容量が、基準値ｍ以下であること、電極１６ｃの静電容量が基準値ｍ以上であること、及び電極１６ｃと電極１６ｄの静電容量の比などから、電極１６ａと電極１６ｂの間における指の位置が、電極１６ｃの近傍であって検出区画１５の範囲外であることが分かる。また、電極１６ｃと電極１６ｄの間における指の位置は、電極１６ａと電極１６ｂの静電容量の比から求めることが出来る。尚、検出区画１５からの距離は、図５（ｄ）に示すように、各電極１６ａ、１６ｂ、１６ｃ、１６ｄの合計値から得ることが出来る。ここでの閾値ｎは、図４（ｅ）の場合と同様にデータを有効とする閾値である。尚、この静電容量とは、静電容量の変化量等とすることが出来る。
【００３２】
また、図６は、複数の検出区画１５の構成を示す図である。図６に示すように、隣り合う検出区画１５同士では、電極１６が共有されている。すなわち、図４（ａ）に示した検出区画１５を検出区画１５ｃとすると、その右側の検出区画１５ｂとの境界に配置されている電極１６ｄは、検出区画１５ａと検出区画１５ｂの双方に用いられており、検出区画１５ｃの電極１６ｃとして機能する一方、検出区画１５ｂの電極１６ｃとしても機能することになる。
【００３３】
次に、各検出区画１５によって検出される領域について説明する。
【００３４】
図７は、各検出区画１５によって検出される領域を説明するための情報端末の断面構成図である。図８は、各検出区画１５によって検出される領域を説明するための検出面部の部分斜視構成図である。図７において、検出区画１５を左から順に検出区画１５ａ、１５ｂ、１５ｃ、１５ｄ、１５ｅとする。尚、検出面部１４の端が１４ｂとして示されている。図８では、検出区画１５ｂ、１５ｃ、１５ｄと、そのＹ軸方向に隣接する検出区画１５ｂ、１５ｃ、１５ｄが示されている。
【００３５】
ここで、それぞれの検出区画１５ａ、１５ｂ、１５ｃ、１５ｄ、１５ｅを底面とし、上面を面２４ａ、２４ｂ、２４ｃ、２４ｄ、２４ｅとする直方体形状の空間を、それぞれ第１領域２１ａ、２１ｂ、２１ｃ、２１ｄ、２１ｅとする。また、図中、第１領域２１ａの左側に隣接する領域を第２領域２３ａ１とし、第１領域２１ａの右側に隣接する領域を第２領域２３ａ２とする。同様に、第１領域２１ｂの左側に隣接する領域を第２領域２３ｂ１とし、第１領域２１ｂの右側に隣接する領域を第２領域２３ｂ２とし、第１領域２１ｃの左側に隣接する領域を第２領域２３ｃ１とし、第１領域２１ｃの右側に隣接する領域を第２領域２３ｃ２とし、第１領域２１ｄの左側に隣接する領域を第２領域２３ｄ１とし、第１領域２１ｄの右側に隣接する領域を第２領域２３ｄ２とし、第１領域２１ｅの左側に隣接する領域を第２領域２３ｅ１とし、第１領域２１ｅの右側に隣接する領域を第２領域２３ｅ２とする。
【００３６】
第１領域２１ａ、２１ｂ、２１ｃ、２１ｄ、２１ｅ内に指が存在する場合には、図４において説明したような検出区画の内側の位置を検出する方法を用いて各検出区画１５ａ、１５ｂ、１５ｃ、１５ｄ、１５ｅによって、指の位置が検出される。一方、第２領域２３ａ１及び第２領域２３ａ２内に指が存在する場合については、図５において説明したような検出区画１５の外側の位置を検出する方法を用いて、主に検出区画１５ａによって検出される。同様に、第２領域２３ｂ１及び第２領域２３ｂ２内に指が存在する場合については、主に検出区画１５ｂによって検出され、第２領域２３ｃ１及び第２領域２３ｃ２内に指が存在する場合には、主に検出区画１５ｃによって検出され、第２領域２３ｄ１及び第２領域２３ｄ２内に指が存在する場合には、主に検出区画１５ｄによって検出され、第２領域２３ｅ１及び第２領域２３ｅ２に指が存在する場合には、主に検出区画１５ｅによって検出される。
【００３７】
尚、本実施の形態では、検出面部１４はＹ軸方向には凸状に形成されていないため、図８に示すように、Ｙ軸方向には第２領域が形成されない。
【００３８】
このように、第２領域２３ａ１、第１領域２１ａ、第２領域２３ａ２、第２領域２３ｂ１、第１領域２１ｂ、第２領域２３ｂ２、第２領域２３ｃ１、第１領域２１ｃ、第２領域２３ｃ２、第２領域２３ｄ１、第１領域２１ｄ、第２領域２３ｄ２、第２領域２３ｅ１、第１領域２１ｅ、及び第２領域２３ｅ２の図中扇形形状の検出領域１８において指の存在の検出が可能となる。この検出領域１８が、本発明の厚みのある所定エリアの一例に相当する。
【００３９】
また、図７において面２４ａ、２４ｂ、２４ｃ、２４ｄ、２４ｅよりも検出面部１４側に形成されており、各面２４ａ、２４ｂ、２４ｃ、２４ｄ、２４ｅと平行な面２５ａ、２５ｂ、２５ｃ、２５ｄ、２５ｅは、アイコン１２の決定閾値を示している。すなわち、指が面２５ａ、２５ｂ、２５ｃ、２５ｄ、２５ｅを超えて表示画面１１ａに近づくと、ポインタ１３によって示されているアイコン１２が決定されることになる。
【００４０】
以上のように、表示画面１１ａ上に凸形状に検出面部１４を形成することにより、Ｘ軸方向において表示画面１１ａよりもＸ軸方向において広い領域における指の検出が可能となる。
【００４１】
次に、本実施の形態１の情報端末の制御について説明するとともに、本発明の入力方法の一例についても同時に述べる。図９は、本実施の形態１の情報端末の制御フロー図である。
【００４２】
はじめに、情報端末の電源（図示せず）を投入することにより、表示画面１１ａには、例えば、図１に示すように配列された複数のアイコン１２が表示される。このようにアイコン１２を表示するステップが、本発明の画面部品表示ステップの一例に相当する。
【００４３】
すると、検出面部１４によって静電容量の検出が開始される。ここで、静電容量の検出は、所定のサンプリング周期で行われる。
【００４４】
Ｓ１０において、位置検出部３１によって複数の検出区画１５のうち、いずれか１つの検出区画１５の電極１６ａ、１６ｂ、１６ｃ、１６ｄからの静電容量値が取得される。そして、Ｓ１１において、静電容量の合計が閾値（図４（ｅ）の閾値ｈ、図５（ｄ）の閾値ｎ参照）以上か否かが検出される。ここで、閾値は、図６の面２４ａ、２４ｂ、２４ｃ、２４ｄ、２４ｅを示しており、検出面部１４に対して、この面２４ａ、２４ｂ、２４ｃ、２４ｄ、２４ｅよりも指の位置が遠い場合、検出されないことになる。
【００４５】
そして、静電容量の合計が閾値以上の場合には、Ｓ１２において位置検出部３１によって４つの電極１６ａ、１６ｂ、１６ｃ、１６ｄの静電容量値から指１７の位置データが検出される。このＳ１２が、本発明の位置検出ステップの一例に相当する。
【００４６】
一方、Ｓ１１において静電容量の合計が閾値未満の場合には、制御はＳ１４へと進み、全ての検出区画１５からの静電容量を取得したか否かの判定が行われる。そして、全ての検出区画１５から静電容量を取得していない場合には、Ｓ１０へと戻り、他の検出区画１５からの静電容量が所得される。
【００４７】
また、Ｓ１２において取得された位置データが、Ｓ１３において補正部３４によって補正される。この補正については、後に詳しく説明する。
【００４８】
そして、Ｓ１４において、全ての検出区画１５からの静電容量を取得したか否かの判定が行われる。全ての検出区画１５における静電容量を取得した場合には、Ｓ１５において、１つ又は複数の補正後の位置データから検出領域１８内における位置が特定され、特定された位置と、表示画面１１ａにおける位置と検出領域１８における位置とを対応づけた対応付け情報とから、位置特定部３３によって表示画面１１ａ上の位置が特定され、制御は終了する。このＳ１５が、本発明の位置特定ステップの一例に相当する。
【００４９】
次に、Ｓ１３における補正について詳しく説明する。
【００５０】
はじめに補正を行う理由について説明する。
【００５１】
ユーザはポインタ１３（図１参照）を移動させる際に、指を表示画面１１ａと平行に移動させる。このとき、ユーザは、表示画面１１ａに対して平行に指を移動させていても、本実施の形態では検出面部１４が凸形状になっているため、検出面部１４までの距離が変化することになる。すなわち、図１０において、指が位置４２から位置４３まで動いたとすると、位置４２と検出区画１５ａとの距離に対して、位置４３と検出区画１５ｃとの距離の方が短くなる。このように検出区画１５に近づくことになると、図１０に示すように、指の位置が面２５ｂを超えて検出区画１５ｂに近づくことになり、ユーザが意図せずアイコンを決定するような場合が生じる。
【００５２】
また、ユーザは、表示画面１１ａに対して指を近づける又は離すという操作を行うが、表示画面１１ａに対して指を近づけた場合、検出面部１４によって位置の検出が行われるので、ユーザが感覚的に想定している距離よりも近い距離でポインタ１３の表示やアイコン１２の決定等の操作が行われることになる。
【００５３】
このような点を解消するため補正が行われる。
【００５４】
図１１は、図１０の第１領域２１ａ及びその両端の第２領域２３ａの部分を示す図である。例えば、第１領域２１ａにおいて位置４４が検出された場合、検出区画１５ａに対して垂直な位置４４を通る直線６０を描く。また、表示画面１１ａと平行であり、面２４ａの左端を通り、表示画面１１ａと平行な線６１を描く。線６０と面２４ａの交点と、線６１と線６０の交点との間の距離６２が求められる。この距離６２の分、直線６０上において位置４４を表示画面１１ａから離す方向に移動させることによって補正が行われる。補正後の位置が４４´として示されている。尚、他の第１領域２１ｂ、２１ｃ、２１ｄ、２１ｅについても同様に補正が行われる。
【００５５】
一方、図中右側の第２領域２３ｂ内において位置４５が検出された場合、検出区画１５ａと検出区画１５ｂの間の位置６３と位置４５を結ぶ直線６４を描く。一方、検出区画１５ａに対して垂直であって、第１領域２１ａを形成する線６５と面２４ａの交点と、線６５と線６１の交点との距離６６が求められる。この距離６６の分、直線６４上において位置４５を表示画面１１ａから離す方向に移動させることによって補正が行われる。補正後の位置が４５´として示されている。尚、第２領域２３ａ１、第２領域２３ｂ１、第２領域２３ｃ２、第２領域２３ｃ１、第２領域２３ｄ２、第２領域２３ｄ１、第２領域２３ｅ１、第２領域２３ｅ２についても同様に補正が行われる。例えば、第２領域２３ａ１の場合、第１領域２１ａを形成する線６７と面２４ａの交点と、線６７と線６１の交点との距離６８が求められる。そして、検出された位置と位置６９（検出区画１５ａの右端）を結ぶ線上において、この距離６８の分、表示画面１１ａから離すように補正が行われる。
【００５６】
このように第１領域２１ａでは、表示画面１１ａと垂直な直線に沿って表示画面１１ａから遠ざける方向に移動され、移動する量は位置によって変わる。一方、第２領域２３ａ２では、その第２領域２３の検出面部１４上の位置６３と位置４５を結ぶ直線に沿って表示画面１１ａから遠ざける方向に移動され、移動量は距離６６分と一定量移動される。
【００５７】
この補正により、例えば図１０に示した位置４２から位置４３への指の移動は、図１２の位置４２´から位置４３´への指の移動（矢印ｋ参照）のように補正され、意図しないアイコン１２の決定を避けることが出来る。
【００５８】
また、ユーザの表示画面１１ａとの距離間隔と一致した操作を行うことが出来る。
【００５９】
なお、図５（ａ）〜（ｄ）において説明したように、検出区画の上方の空間以外の領域についても検出されるため、指が第１領域２１ｃに存在しているとしても、検出区画１５ｃだけでなく、隣接する検出区画１５ｂ、１５ｄからも指の存在が検出されることになる。又、指が第２領域２３ｃ１に存在するとしても検出区画１５ｃだけでなく、検出区画１５ｂからも指の存在が検出されることになる。Ｓ１５において検出領域１８内の位置を特定する際、これらの複数の位置データの補正後の位置データの全てを平均して検出領域１８内における位置を特定してもよいし、最も大きい静電容量値を検出した検出区画１５の補正後の位置データのみ採用して検出領域１８内における位置を特定してもよい。
【００６０】
又、上述したように、補正後の特定された位置によって様々な表示が、表示制御部３５によって実行される。指の位置が面２４ａ、２４ｂ、２４ｃ、２４ｄ、２４ｅを超えて検出面部１４側に移動した位置が特定された場合、特定された位置のＸＹ座標に対応する表示画面１１ａのＸＹ位置にポインタ１３が表示される。面２４ａ、２４ｂ、２４ｃ、２４ｄ、２４ｅと、面２５ａ、２５ｂ、２５ｃ、２５ｄ、２５ｅの間の領域で指が移動した場合、ポインタ１３もその移動した指の位置に応じて表示画面１１ａ上を移動する。そして、指が面２５ａ、２５ｂ、２５ｃ、２５ｄ、２５ｅを超えて検出面部１４側に移動したことが特定された場合、ポインタ１３によって示されているアイコン１２が決定され、そのアイコン１２に割り当てられたアプリケーションが実行される。
【００６１】
以上のように、本実施の形態では、検出領域１８の表示画面１１ａに対して平行な平面群の各平面は、Ｘ軸方向において表示画面１１ａよりも大きくなっており、各平面上の位置と、表示画面１１ａ上の位置が対応付けられているため、少しのポインタ１３の移動であっても指を大きく動かすことが可能となり、所望の画面部品を決定し易いという効果を発揮する。例えば、図１３（ａ）に示すように、検出領域１８内の一部の平面領域１００は、表示画面１１ａの一部の領域１０１に対応付けられている。そして、この平面領域１００と領域１０１を含む空間１０２内の表示画面１１ａと平行な他の平面領域も、表示画面１１ａの領域１０１に対応付けられている。このため、図１３（ｂ）に示すように、表示画面１１ａ上において位置４６から位置４７までポインタを移動させるためには、位置４８から位置４５まで指を移動させる必要があり、指を大きく動かすことが出来る。そのため、アイコン１２の間隔が狭い場合であっても、決定を行い易くなる。
【００６２】
また、検出領域１８が扇形状であるため、表示画面１１ａからの垂直距離が大きくなるほど表示画面に対する入力範囲が拡大し、表示画面１１ａ上のポインタ１３を精度良く指定することが出来る。
【００６３】
また、表示画面１１ａに対して指を水平に一定の速度で動かしたとしても、表示画面から遠ざかる程、表示画面１１ａ上のポインタ１３の動く速度は遅くなる。このように、垂直方向の位置を変えることで水平方向におけるポインタ１３の移動速度を調整することが出来る。
【００６４】
また、検出面部１４からの指の位置を表示画面１１ａからの位置に補正を行うことによって、ユーザは表示画面１１ａを基準にして指を動かしても適切に操作を行うことが出来る。
【００６５】
（実施の形態２）
次に、本発明にかかる実施の形態２における情報端末について説明する。
【００６６】
本実施の形態２の情報端末は、実施の形態１と基本的な構成は同じであるが、補正の演算方法が異なっている。そのため、本相違点を中心に説明する。尚、実施の形態１と同様の構成については同一の符号が付されている。
【００６７】
図１４（ａ）は、本実施の形態２における補正を説明するための、表示部１１と検出面部１４の上方から視た模式図である。本実施の形態２では、凸形状の検出面部１４を円周の一部に近似している。この近似した円の中心をＯとする。また、面２４ａ、２４ｂ、２４ｃ、２４ｄ、２４ｅを、中心をＯとする円周の一部として近似している。この円弧を２４とする。また、円弧２４の端２４ｇ１と検出面部１４の端と中心Ｏと結ぶ線をＴ１とし、端２４ｇ２と検出面部１４の端と中心Ｏと結ぶ線をＴ２とする。この円弧２４、線Ｔ１、線Ｔ２、及び検出面部１４で囲まれた領域が検出領域１８となる。
【００６８】
また、円弧２４の両端２４ｇ１、２４ｇ２を通る、表示画面１１ａに平行な線をＰとする。更に、表示画面１１ａの中央１１ｂ、円弧２４の中央２４ｈ及び中心Ｏを通る線Ｖと、線Ｔ２が成す角度をαとする。更に、中心Ｏから線Ｐに降ろした垂線の長さをＬとする。この状態において、検出面部１４によって検出された位置データが位置４４であったとする。
【００６９】
このとき、中心Ｏと位置４４を結ぶ線Ｕを描くと、線Ｕと円弧２４との交点をＩとし、線Ｕと線Ｐとの交点をＡとすると、中心ＯからＩまでの距離Ｍは、Ｍ＝Ｌ／ｃｏｓαと表すことが出来る。
【００７０】
また、検出面部１４の中央１４ａから端１４ｂまでの総検出ポイント数の２倍をＨとする。この検出ポイント（図中１５５で示す）とは、検出区画１５内における検出分解能であり、検出区画１５は複数の検出ポイントから構成される。位置４４を特定する際の検出ポイント１５５（位置４４と中心Ｏを結ぶ線Ｕと検出面部１４との交点）が中央１４ａからＳ番目の検出ポイントとすると、Ｎ＝Ｌ／ｃｏｓ（α×Ｓ／Ｈ）と近似して表すことが出来る。ここで、Ｓは検出面部１４全体の検出ポイント１５５の数が偶数か奇数かによって異なる。
【００７１】
具体的に、図１４（ｂ）、（ｃ）を用いて説明する。図１４（ｂ）は、検出面部１４全体の検出ポイント１５５の数が奇数の場合のＳの特定を説明するための模式図であり、図１４（ｃ）は検出面部１４全体の検出ポイント１５５の数が偶数の場合のＳの特定を説明するための模式図である。図１４（ｂ）、（ｃ）では、検出面部１４の実際の検出ポイント１５５が実線の丸で示されており、仮想の検出ポイント１５６が点線の丸で示されている。これら実際の検出ポイント１５５と仮想の検出ポイント１５６の合計がＨとなる。
【００７２】
そこで、検出面部１４全体の検出ポイント１５５の数が奇数の場合、図１４（ｂ）に示すように、中央１４ａの検出ポイント１５５をＳ＝０番目とし、その次の検出ポイント１５５をＳ＝２番目し、更に次ぎの検出ポイント１５５をＳ＝４番目とする。すなわち、Ｓは偶数（Ｓ＝２（ｎ―１））に設定出来る。尚、ｎは自然数であり、中央１４ａの検出ポイント１５５を含めて、中央１４ａから数えた検出ポイント１５５の数である。
【００７３】
一方、検出面部１４全体の検出ポイント１５５の数が偶数の場合、図１４（ｃ）に示すように、中央１４ａから端１４ｂに向かって一つ目の検出ポイント１５５を１番目とし、その次の検出ポイントを３番目とする。すなわち、Ｓは奇数（Ｓ＝２ｎ―１（ｎは自然数））に設定出来る。尚、ｎは自然数であり、中央１４ａから数えた検出ポイント１５５の数である。
【００７４】
このようにＨを、中央１４ａから端１４ｂまでの総検出ポイント数の２倍とし、検出面部１４全体の検出ポイント１５５の数が奇数又は偶数の場合で中央１４ａからの検出ポイントの数え方を変えることによって、検出面部１４全体の検出ポイント１５５の数が奇数及び偶数のいずれの場合であってもＮ＝Ｌ／ｃｏｓ（α×Ｓ／Ｈ）の式を適用することが出来る。
【００７５】
ここで、補正係数Ｅは、Ｅ＝Ｍ／Ｎとされる。そのため、補正係数Ｅは、Ｅ＝ｃｏｓ（α×Ｓ／Ｈ）／ｃｏｓαとなる。ここで、αは、検出面部１４を円周に近似させているため、既知の値であり、ＳとＨも既知の値である。そのため、補正係数を求めることが出来る。
【００７６】
そして、線Ｕと検出面部１４との交点をＪとし、Ｊから位置４４までの距離をＧとすると、Ｓ番目の検出区画１５の静電容量の合計値Ｖと位置４４とから検出区画からの距離Ｇが求められる。Ｇは、予め特性を測定してテーブル化しておくか、Ｇ＝δ／（Ｖ×Ｖ）＋γ（δ、γはパラメータ係数）として求められる。
【００７７】
また、表示画面１１ａの半分の長さをＫとし、中心からＪまでの距離をＲとすると、Ｒ＝Ｋ／ｓｉｎ（α）で求めることが出来る。
【００７８】
これら補正係数Ｅ、距離Ｇ、及び距離Ｒを用いると、補正後の位置４４´とＪまでの距離Ｑは、Ｑ＝Ｅ×（Ｇ＋Ｒ）―Ｒとされる。
【００７９】
このように、補正係数Ｅを求めて、検出面部１４によって検出された位置４４を、線Ｕ上を表示画面１１ａから遠ざけるように補正することが出来る。
【００８０】
尚、上記実施例では、検出面部１４の中央１４ａから端１４ｂまでの総検出ポイント数の２倍であるＨを用いて補正演算を行っていたが、用いなくても良い。図１４では、Ｅ＝ｃｏｓ（α×Ｓ／Ｈ）／ｃｏｓαとして補正係数を求めていたが、位置４４の位置データは検出面部１４によって求められるため、図１５に示すように、位置４４の座標と中心Ｏの座標とから図中のβの値を算出することが出来る。このβを用いると、Ｎ＝Ｌｃｏｓβと表すことが出来るため、補正係数Ｅは、Ｅ＝ｃｏｓα／ｃｏｓβとして求めることが出来る。
【００８１】
そして、位置４４と検出面部１４までの距離Ｇは、位置４４の位置データから求められ、Ｒは円近似した際に算出されるため、Ｑ＝Ｅ×（Ｇ＋Ｒ）―Ｒを求めることが出来、補正後の位置４４´´を算出することが出来る。
【００８２】
さらに、このような補正に限らず、図１６に示すような補正であってもよい。
【００８３】
図１６では、位置４４を通り表示画面１１ａに平行な線Ｂを描き、線Ｂと線Ｔ１、線Ｔ２との交点を通り、中心をＯとする円弧Ｄを描く。そして、線Ｕと円弧Ｄの交点を補正後の位置４４´´´とすることによって補正を行うことが出来る。
【００８４】
（実施の形態３）
次に、本発明にかかる実施の形態３の情報端末について説明する。
【００８５】
本実施の形態の情報端末は、実施の形態２と基本的な構成は同じであるが、検出面部がＹ軸方向にも凸形状に形成されている点が異なる。そのため、本相違点を中心に説明する。尚、実施の形態１と同様の構成については同一の符号が付されている。
【００８６】
図１７は、本実施の形態３の情報端末５０の斜視図である。本実施の形態の検出面部５４も、実施の形態１と同様に複数の検出区画１５から構成されているが、図１７に示すように、本実施の形態３の検出面部５４は、Ｘ軸方向だけでなく、Ｙ軸方向においても凸形状に形成されている。このため表示画面１１ａに対して指の存在を検出する領域５５は図１７に示すようにＸ軸及びＹ軸方向に広げられる。
【００８７】
次に、本実施の形態３の情報端末の制御フローについて説明するが、補正以外については実施の形態１と同じであるため説明を省略する。
【００８８】
本実施の形態３では、検出面部５４の形状を球の一部分に近似して補正の演算が行われる。
【００８９】
図１８に示すように、検出面部５４によって指が位置５７に検出されたとすると、球の中心Ｏと位置５７を含みＸ軸に平行な平面５６が形成される。この平面５６を図１４の検出領域１８とすることで、上記実施の形態２と同様に、位置５７の補正係数を求めることが出来る。ここで、実施の形態２と同様に、検出面部５４の平面５６との交線の中央５４ａから端５４ｂまでの総検出ポイント１５５の数の２倍をＨとする。そして、位置５７を特定する際の検出ポイント１５５（位置５７と中心Ｏを結ぶ線Ｕと検出面部１４との交点）が中央５４ａからＳ番目の検出ポイント（図中１５５で示す）とすると、実施の形態２と同様に、Ｎ＝Ｌ／ｃｏｓ（α×Ｓ／Ｈ）と近似して表すことが出来る。
【００９０】
また、図１９に示すように、位置５７を含みＹ軸に平行な平面５８が形成される。この平面５８を図１４の検出領域１８とすることで、上記実施の形態２と同様に、位置５７の補正係数を求めることが出来る。ここで、検出面部５４の平面５８との交線の中央５４ｃから端５４ｄまでの総検出ポイント数の２倍をＣとする。この検出ポイントとは、検出区画１５内における検出分解能であり、検出区画１５は複数の検出ポイントから構成される。位置５７を特定する際の検出ポイント１５５（位置５７と中心Ｏを結ぶ線Ｕと検出面部１４との交点）が中央５４ａからＴ番目の検出ポイント（図中１５５で示す）とすると、実施の形態２と同様に、補正係数Ｆは、Ｆ＝ｃｏｓ（η×Ｔ／Ｃ）／ｃｏｓηとなる。尚、このＴは、実施の形態２のＳと同様に、検出面部１４全体の検出ポイント１５５の数が奇数の場合、中央１４ａの検出ポイント１５５をＴ＝０番目とし、その次の検出ポイント１５５をＴ＝２番目し、更に次ぎの検出ポイント１５５をＴ＝４番目とする。すなわち、Ｔは偶数（Ｔ＝２（ｎ―１））に設定出来る。尚、ｎは自然数であり、中央１４ａの検出ポイント１５５を含めて、中央１４ａから数えた検出ポイント１５５の数である。一方、検出面部１４全体の検出ポイント１５５の数が偶数の場合、中央１４ａから端１４ｂに向かって一つ目の検出ポイント１５５を１番目とし、その次の検出ポイントを３番目とする。すなわち、Ｔは奇数（Ｓ＝２ｎ―１（ｎは自然数））に設定出来る。尚、ｎは自然数であり、中央１４ａから数えた検出ポイント１５５の数である。
【００９１】
そして、Ｗ＝√（｜Ｅ×Ｆ｜）より、補正係数Ｗが求められる。図２０に示すように、中心０と位置５７を通る直線Ｕと検出面部５４との交点を実施の形態２と同様にＪとする。位置５７とＪとの距離Ｇは、実施の形態２と同様に検出区画１５による各電極の静電容量の値とそれらの合計値Ｖから求められる。また、中心ＯからＪまでの距離Ｒは、実施の形態２で述べたように表示画面１１ａのＸ軸方向の半分の長さをＫとし、Ｒ＝Ｋ／ｓｉｎ（α）で求めることが出来る。尚、距離Ｒは、検出面部５４を球の一部として近似する際に、球の半径として求めても良い。
【００９２】
これら補正係数Ｗ、距離Ｇ、及び距離Ｒを用いると、補正後の位置５７´とＪまでの距離Ｑは、Ｑ＝Ｗ×（Ｇ＋Ｒ）―Ｒとされる。
【００９３】
すなわち、図２０に示すように、位置５７は、線Ｕ上であって、Ｊからの距離がＱとなるような位置５７´に補正される。
【００９４】
このように補正を行うことによって、Ｘ軸方向及びＹ軸方向の双方に凸形状に形成されている検出面部５４に対しても補正を行うことが出来る。
【００９５】
また、本実施の形態では、検出領域５５の表示画面１１ａに対して平行な平面群の各平面は、Ｘ軸及びＹ軸方向において表示画面１１ａよりも大きくなっており、各平面上の位置と、表示画面１１ａ上の位置が対応付けられているため、少しのポインタ１３の移動であっても指を大きく動かすことが可能となり、所望の画面部品を決定し易いという効果を発揮する。
【００９６】
尚、実施の形態２でも述べたように、本実施の形態３では、Ｈ、Ｃを用いて補正演算を行っていたが、用いなくても良く、図１５で説明したような方法を平面５６と平面５８に当て嵌めても良い。すなわち、平面５６における補正係数Ｅは、Ｅ＝ｃｏｓβ／ｃｏｓαとして求められる。また、平面５８における補正係数Ｆは、図２１に示す角度εを用いて、Ｆ＝ｃｏｓε／ｃｏｓηとして求めることが出来る。
【００９７】
なお、上記実施の形態１〜３では、検出面部から得られた位置データに対して補正を行っているが、補正を行わなくても良い。補正を行わない場合でも、検出領域１８の表示画面１１ａに対して平行な平面群は表示画面１１ａよりも大きくなっているため、少しのポインタ１３の移動であっても指を大きく動かすことが可能となり、所望の画面部品を決定し易いという効果を発揮出来る。但し、補正を行った方が、ユーザが想定する表示画面１１ａに対する距離と、実際の検出を略一致させることが出来るため、より好ましい。
【００９８】
又、上記実施の形態では、本発明の所定の規則は、それぞれの演算方法に相当するが、上記演算を用いず、検出面部１４によって検出された位置データ毎の補正量のテーブルを有していてもよい。又、本発明の検出面部の中央部の一例は、本実施の形態の検出面部１４の両方の端１４ｂ（表示画面１１ａと接している部分（図７参照））を除く部分に相当し、この両端部分は、表示画面１１ａから突出していないので、第２領域２３ａ１及び第２領域２３ｅ２については補正を行わなくても良い。要するに、表示画面１１ａからの突出量が多いほど、表示画面１１ａから遠ざける方向に補正を行うことが好ましい。
【００９９】
また、上記実施の形態１では、面２５ａ、２５ｂ、２５ｃ、２５ｄ、２５ｅを超えて検出面部１４に近づいた場合、ポインタ１３が表示されているアイコン１２が決定されるとしたが、面２５ａ、２５ｂ、２５ｃ、２５ｄ、２５ｅを設けず、検出面部１４に触れたことによってアイコン１２を決定したこととしても良い。
【０１００】
また、本実施の形態では、本発明の所定エリアの一例として検出領域１８、５５の全ての位置（厚み方向を含む）が表示画面１１ａ上の位置と対応付けられているが、一部のみが対応付けられていてもよい。例えば、表示画面１１ａから所定距離を隔てた平面上における位置と表示画面１１ａ上の位置のみが対応付けられていても良い。この場合、この平面が本発明の所定エリアの一例に相当し、この平面上又は平面を通過するように指が配置されている場合に、表示画面１１ａ上にポインタ１３が表示される。
【０１０１】
また、本発明の指示物の一例は、上記実施の形態では、指１７に相当するが、これに限らずスタイラスなどのポインティングデバイスであってもよい。
【０１０２】
尚、本発明のプログラムは、上述した本発明の入力方法の少なくとも、各ステップの動作をコンピュータにより実行させるプログラムであって、コンピュータと協働して動作するプログラムである。
【０１０３】
又、本発明の記録媒体は、上述した本発明の入力方法の各ステップの全部又は一部の動作をコンピュータにより実行させるプログラムを記録した記録媒体であり、コンピュータにより読み取り可能且つ、読み取られた前記プログラムが前記コンピュータと協動して前記動作を実行する記録媒体である。
【０１０４】
又、本発明の上記「各ステップの動作」とは、前記ステップの全部又は一部の動作を意味する。
【０１０５】
又、本発明のプログラムの一利用形態は、コンピュータにより読み取り可能な、ＲＯＭ等の記録媒体に記録され、コンピュータと協働して動作する態様であっても良い。
【０１０６】
又、本発明のプログラムの一利用形態は、インターネット等の伝送媒体、光・電波・音波等の伝送媒体中を伝送し、コンピュータにより読みとられ、コンピュータと協働して動作する態様であっても良い。
又、上述した本発明のコンピュータは、ＣＰＵ等の純然たるハードウェアに限らず、ファームウェアや、ＯＳ、更に周辺機器を含むものであっても良い。
【０１０７】
尚、以上説明した様に、本発明の構成は、ソフトウェア的に実現しても良いし、ハードウェア的に実現しても良い。
【産業上の利用可能性】
【０１０８】
本発明の入力装置及び入力方法は、所望の画面部品を決定し易いという効果を有し、情報端末などとして有用である。
【符号の説明】
【０１０９】
１０、５０  情報端末
１１  表示部
１１ａ  表示面
１２  アイコン
１３  ポインタ
１４、５４  検出面部
１５  検出区画
１６ａ、１６ｂ、１６ｃ、１６ｄ  電極
１７  指
１８、５５  検出領域
１９、２０  位置
２１ａ、２１ｂ、２１ｃ、２１ｄ、２１ｅ  第１領域
２３ａ１、２３ａ２、２３ｂ１、２３ｂ２、２３ｃ１、２３ｃ２、２３ｄ１、２３ｄ２、２３ｅ１、２３e２  第２領域
２４ａ、２４ｂ、２４ｃ、２４ｄ、２４ｅ  面
２５ａ、２５ｂ、２５ｃ、２５ｄ、２５ｅ  面
３１  位置検出部
３２  格納部
３３  位置特定部
３４  補正部
３５  表示制御部
４２、４３、４４、４５、４６、４７、４８  位置
１５５  検出ポイント
【図２】
2011248847.tif 000003
【図３】
2011248847.tif 000004
【図４（ａ）】
2011248847.tif 000005
【図４（ｂ）】
2011248847.tif 000006
【図４（ｃ）】
2011248847.tif 000007
【図４（ｄ）】
2011248847.tif 000008
【図４（ｅ）】
2011248847.tif 000009
【図５（ａ）】
2011248847.tif 000010
【図５（ｂ）】
2011248847.tif 000011
【図５（ｃ）】
2011248847.tif 000012
【図５（ｄ）】
2011248847.tif 000013
【図６】
2011248847.tif 000014
【図７】
2011248847.tif 000015
【図８】
2011248847.tif 000016
【図９】
2011248847.tif 000017
【図１０】
2011248847.tif 000018
【図１１】
2011248847.tif 000019
【図１２】
2011248847.tif 000020
【図１３（ａ）】
2011248847.tif 000021
【図１３（ｂ）】
2011248847.tif 000022
【図１４（ａ）】
2011248847.tif 000023
【図１４（ｂ）】
2011248847.tif 000024
【図１４（ｃ）】
2011248847.tif 000025
【図１５】
2011248847.tif 000026
【図１６】
2011248847.tif 000027
【図１７】
2011248847.tif 000028
【図１８】
2011248847.tif 000029
【図１９】
2011248847.tif 000030
【図２０】
2011248847.tif 000031
【図２１】
2011248847.tif 000032
【図１】
2011248847.tif 000033